(57)【特許請求の範囲】
【請求項１】
設置場所の取付部材に形成された開口部に、室内側から挿入される本体部と、
樹脂材料で構成され、前記本体部の側部から外側に突出し、開口部の周縁の取付部材の室内側の面に当接するフランジ部と、
前記フランジ部を露出させて前記本体部の外郭を構成する金属ケースと、
開口部の周縁の取付部材の室内側の面に当接する側である前記フランジ部の一の面に設けられ、前記金属ケースの側面で、前記金属ケースから突出する前記フランジ部が設けられる一の側と、開口部の周縁の取付部材の端部との間に入る絶縁部とを備え、
前記絶縁部は、前記金属ケースの側面の一の側と前記絶縁部との間に隙間が形成される位置に設けられる
ことを特徴とする設備機器。
【請求項２】
前記絶縁部は、前記金属ケースの側面の一の側に沿って設けられ、前記金属ケースの側面の一の側の外側を覆う
ことを特徴とする請求項１に記載の設備機器。
【請求項３】
前記絶縁部は、第１の高さを有する第１の絶縁部と、第１の高さより低い第２の高さを有する第２の絶縁部が設けられる
ことを特徴とする請求項２に記載の設備機器。
【請求項４】
前記第１の絶縁部の高さは、開口部の周縁の取付部材の厚さと、前記フランジ部との間に取付部材を挟持する補強材の厚さを加えた長さより高く構成される
ことを特徴とする請求項３に記載の設備機器。
【請求項５】
前記絶縁部は、前記金属ケースの側面の一の側に沿った複数箇所に設けられ、前記金属ケースの側面の一の側と、開口部の周縁の取付部材の端部との間に入る
ことを特徴とする請求項１に記載の設備機器。
【請求項６】
前記絶縁部は、開口部の端部から前記絶縁部の外周面との間に隙間が形成される位置に設けられる
ことを特徴とする請求項１に記載の設備機器。
【発明の詳細な説明】
【技術分野】
【０００１】
本発明は、浴室等の室内の天井に設置される設備機器に関する。
【背景技術】
【０００２】
建物の天井に設置される設備機器で、熱源を持たない換気装置は、樹脂製のケースで覆われた構成が多い。一方、浴室の天井に設置される浴室換気乾燥暖房機は、熱源としてヒータを持つため金属ケースで覆われている（例えば、特許文献１参照）。
【０００３】
浴室換気乾燥暖房機では、金属ケースで覆われた部分が、浴室の天井板に開けられた開口部に挿入され、フランジ部で天井板に固定される。浴室換気乾燥暖房機に設けられるフランジ部は、一般的に樹脂材料で構成されている。
【先行技術文献】
【特許文献】
【０００４】
【特許文献１】特開２０１０−１１２６６０号公報
【発明の概要】
【発明が解決しようとする課題】
【０００５】
羽根車を駆動するモータやヒータ等の電気機器を備えた浴室換気乾燥暖房機等の設備機器は、設置時に漏電遮断機と接続されており、万一、設備機器で漏電が発生した場合には、漏電遮断機で保護される。また、設備機器は設置時にアース接地されており、漏電遮断機で検出できないような微小な漏洩電流は、アースに流して漏電保護が行われる。
【０００６】
しかし、漏電遮断機の不具合、あるいはアース接地の不具合が発生すると、設備機器から設置場所への漏電が起こる可能性があった。そこで、従来は、金属ケースに絶縁テープを巻いて、絶縁を図っていた。しかし、絶縁テープを巻く作業は手間が掛かり、組み立てコストが多く掛かる要因となる。また、設備機器の設置時、あるいは経年劣化等で絶縁テープが損傷すると、絶縁性能が確保できなくなる。
【０００７】
本発明は、このような課題を解決するためになされたもので、設置場所への漏電を確実に防止できるようにした設備機器を提供することを目的とする。
【課題を解決するための手段】
【０００８】
上述した課題を解決するため、本発明は、設置場所の取付部材に形成された開口部に、室内側から挿入される本体部と、樹脂材料で構成され、本体部の側部から外側に突出し、開口部の周縁の取付部材の室内側の面に当接するフランジ部と、フランジ部を露出させて本体部の外郭を構成する金属ケースと、開口部の周縁の取付部材の室内側の面に当接する側であるフランジ部の一の面に設けられ、金属ケースの側面で、金属ケースから突出するフランジ部が設けられる一の側と、開口部の周縁の取付部材の端部との間に入る絶縁部とを備え、絶縁部は、金属ケースの側面の一の側と絶縁部との間に隙間が形成される位置に設けられる設備機器である。
【０００９】
本発明の設備機器では、設置場所である室の天井または壁を構成する取付部材に形成された開口部に、本体部が室内側から挿入され、フランジ部が開口部の周縁の取付部材に取り付けられると、本体部の外郭を構成する金属ケースの側面の一の側と、開口部の周縁の取付部材の端部との間に、樹脂材料で構成されるフランジ部の一の面に設けられた絶縁部が入る。
【発明の効果】
【００１０】
本発明の設備機器によれば、本体部の外郭を構成する金属ケースの側面の一の側と、開口部の周縁の取付部材の端部との間に樹脂材料で構成される絶縁部が入り、かつ、金属ケースの側面の一の側と絶縁部との間には隙間が形成されることで、金属ケースと設置場所の開口部に露出する取付部材の端面が接触することが防止され、設備機器の金属ケースから、設置場所への漏電を防止することができる。
【００１１】
また、フランジ部の一の面に絶縁部が設けられることで、絶縁テープ等を巻く作業が不要となり、組み立て作業の簡略化及びコストを低減することができる。
【図面の簡単な説明】
【００１２】
【図１】第１の実施の形態の浴室換気乾燥暖房機の全体構成を示す側断面図である。
【図２】第１の実施の形態の浴室換気乾燥暖房機を天井板に取り付けた形態の要部構成を示す要部側断面図である。
【図３】第１の実施の形態の浴室換気乾燥暖房機を天井板に取り付けた形態の要部構成を示す要部側断面図である。
【図４】第１の実施の形態の浴室換気乾燥暖房機の全体構成を示す上面側から見た斜視図である。
【図５】第１の実施の形態の浴室換気乾燥暖房機における本体シャーシの構成を示す上面側から見た斜視図である。
【図６】第１の実施の形態の浴室換気乾燥暖房機を天井板に取り付けた形態を示す上面側から見た斜視図である。
【図７】第２の実施の形態の浴室換気乾燥暖房機の全体構成を示す上面側から見た斜視図である。
【図８】第２の実施の形態の浴室換気乾燥暖房機を天井板に取り付けた形態を示す上面側から見た斜視図である。
【図９】第３の実施の形態の浴室換気乾燥暖房機の全体構成を示す上面側から見た斜視図である。
【図１０】第３の実施の形態の浴室換気乾燥暖房機を天井板に取り付けた形態を示す上面側から見た斜視図である。
【図１１】第４の実施の形態の浴室換気乾燥暖房機を天井板に取り付けた形態の要部構成を示す要部側断面図である。
【発明を実施するための形態】
【００１３】
以下、図面を参照して、本発明の設備機器としての浴室換気乾燥暖房機の実施の形態について説明する。
【００１４】
＜第１の実施の形態の浴室換気乾燥暖房機の構成例＞
図１〜図６は、第１の実施の形態の浴室換気乾燥暖房機の一例を示し、図１は、第１の実施の形態の浴室換気乾燥暖房機の全体構成を示す側断面図、図２及び図３は、第１の実施の形態の浴室換気乾燥暖房機を天井板に取り付けた形態の要部構成を示す要部側断面図である。
【００１５】
また、図４は、第１の実施の形態の浴室換気乾燥暖房機の全体構成を示す上面側から見た斜視図、図５は、第１の実施の形態の浴室換気乾燥暖房機における本体シャーシの構成を示す上面側から見た斜視図である。更に、図６は、第１の実施の形態の浴室換気乾燥暖房機を天井板に取り付けた形態を示す上面側から見た斜視図である。
【００１６】
第１の実施の形態の浴室換気乾燥暖房機１Ａは、取付部材の一例である浴室の天井板１０１に開けられた開口部１０２に挿入されて、天井板１０１に取り付けられる本体部２Ａと、室内に面して本体部２Ａの下面に取り付けられ、天井板１０１の開口部１０２に露出する本体部２Ａの下面を覆うフロントパネル３を備える。
【００１７】
浴室換気乾燥暖房機１Ａが取り付けられる天井板１０１は、図１〜図３に示すように、石膏ボード等の断熱材１０１ａの室内側に面した表面に、金属板１０１ｂが貼り付けられ、浴室換気乾燥暖房機１Ａの取付位置に、浴室換気乾燥暖房機１Ａの本体部２Ａの形状に合わせて四角形の開口部１０２が設けられる。
【００１８】
本体部２Ａは、天井板１０１に取り付けられるフランジ部２０Ａを備え、フランジ部２０Ａを露出させて、金属ケース４Ａで覆われる。また、本体部２Ａは、フランジ部２０Ａに絶縁部２１Ａを備え、浴室換気乾燥暖房機１Ａの本体部２Ａの金属ケース４Ａと、天井板１０１の金属板１０１ｂとの電気的な絶縁が図られる。
【００１９】
以下に、浴室換気乾燥暖房機１Ａの詳細について説明すると、本体部２Ａは、本体シャーシ２２Ａと、本体シャーシ２２Ａを覆う金属ケース４Ａを備える。また、本体部２Ａは、空気を吸い込んで吹き出すファン部５と、ファン部５で吹き出される空気を加熱する図示しないヒータと、ファン部５及びヒータ等を駆動する回路が形成された基板６を備える。
【００２０】
本体シャーシ２２Ａは、難燃性の樹脂材料で構成され、天井板１０１に取り付けられるフランジ部２０Ａと、風路を形成するファンケース部２３を備え、フランジ部２０Ａとファンケース部２３が一体に成形される。
【００２１】
金属ケース４Ａは、鉄等の金属の板材で構成され、本体シャーシ２２Ａのファンケース部２３の全体を覆うと共に、フランジ部２０Ａは露出させる形状を有し、本体部２Ａの外郭を構成する。
【００２２】
ファン部５は、本体シャーシ２２Ａのファンケース部２３に取り付けられるファンモータ５０と、ファンモータ５０に駆動される多翼の羽根車５１を備える。ファン部５における風路を形成するファンケース部２３は、羽根車５１の外周に沿った略円形の部位と、羽根車５１の接線方向に沿った部位を組み合わせた凸形状で、本体シャーシ２２Ａから一の方向である上方に突出する。
【００２３】
本体部２Ａは、本体シャーシ２２Ａの下面に下カバー２４が取り付けられる。下カバー２４は、ファン部５に空気が吸い込まれる吸込口２４ａと、図示しない空気の吹出口等が設けられる。また、本体部２Ａは、ファン部５の室外への吹出口と連通し、ダクトと接続されるダクトジョイント５２が、金属ケース４Ａに取り付けられる。ダクトジョイント５２は、金属ケース４Ａと同様に金属で構成される。
【００２４】
本体部２Ａの下面に取り付けられるフロントパネル３は、吸込口２４ａと連通して吸込口グリル３０が設けられる。また、ファン部５の室内への吹出口と連通して図示しない吹出口グリルが設けられる。
【００２５】
羽根車５１は、ファンモータ５０に駆動されて回転することで、内側から外周側へと遠心方向に吹き出される空気の流れを発生させる。ファンケース部２３は、羽根車５１が回転することで、羽根車５１の遠心方向に吹き出される空気を整流して、羽根車５１の接線方向に沿って吹き出される空気の流れを発生させる。
【００２６】
これにより、浴室換気乾燥暖房機１Ａでは、浴室内の空気を吸い込んで、屋外に排気する動作、図示しないヒータを駆動することで、温風を浴室内に吹き出して暖房を行う動作、換気を行いながら温風を吹き出して、衣類等の乾燥を行う動作が行われる。
【００２７】
本体部２Ａは、本体シャーシ２２Ａにおいてファンケース部２３の上面に基板６が取り付けられ、フランジ部２０Ａを露出させた形態で、ファンケース部２３と基板６が金属ケース４Ａで覆われる。基板６は、ファンモータ５０、図示しないヒータ等と配線で接続される。
【００２８】
フランジ部２０Ａは、本体シャーシ２２Ａの下部の周縁から、全周にわたって外側に突出する。本体部２Ａは、本体シャーシ２２Ａに金属ケース４Ａが取り付けられると、金属ケース４Ａの下部の周縁から、全周にわたってフランジ部２０Ａが外側に突出する。
【００２９】
フランジ部２０Ａは、本体部２Ａが挿入される天井板１０１の開口部１０２より大きな外形を有し、本体部２Ａが開口部１０２に挿入されることで、天井板１０１と接する部位に、浴室換気乾燥暖房機１Ａを天井板１０１に取り付けるための締結手段であるネジ１０３が挿入される取付穴部２０ｈが形成される。
【００３０】
浴室換気乾燥暖房機１Ａは、本体部２Ａで本体シャーシ２２Ａを覆う金属ケース４Ａと、天井板１０１との間で電気的な絶縁を図るための絶縁部２１Ａを、本体シャーシ２２Ａと一体に成形されているフランジ部２０Ａに備える。
【００３１】
絶縁部２１Ａは、取付穴部２０ｈが形成される位置よりも内側で、フランジ部２０Ａの一の面である上面から上方に突出する凸部が、フランジ部２０Ａと一体に成形される。絶縁部２１Ａは、本体シャーシ２２Ａの下部の外周と絶縁部２１Ａとの間に、金属ケース４Ａの下端部４０Ａが入る隙間が設けられて、金属ケース４Ａの側面の一の側である側面下部の周囲に沿って形成される。
【００３２】
絶縁部２１Ａは、所定の第１の高さを有した第１の絶縁部２１Ａ1と、第１の高さより低い所定の第２の高さを有した第２の絶縁部２１Ａ2を備える。絶縁部２１Ａは、金属ケース４Ａの４つの角部４１Ａ、及び、各角部４１Ａの間の中間付近に対応して第１の絶縁部２１Ａ1が設けられ、各第１の絶縁部２１Ａ1の間に、第１の絶縁部２１Ａ1と連続して第２の絶縁部２１Ａ2が設けられる。本例では、絶縁部２１Ａは全周にわたって設けられるが、第２の絶縁部２１Ａ2の一部が切り欠かれているような形態でも良い。
【００３３】
第１の絶縁部２１Ａ1は、図２に示すように、天井板１０１の板厚より高い第１の高さＨ1で、フランジ部２０Ａの上面から突出する。本例では、天井板１０１の板厚ｔは、約１０．５ｍｍに設定される。これに対して、第１の絶縁部２１Ａ1の第１の高さＨ1は、約２０ｍｍに設定される。
【００３４】
第２の絶縁部２１Ａ2は、図３に示すように、天井板１０１の金属板１０１ｂの板厚より高く、天井板１０１の板厚よりは低い第２の高さＨ2で、フランジ部２０Ａの上面から突出する。本例では、第２の絶縁部２１Ａ2の第２の高さＨ2は、約３ｍｍに設定される。
【００３５】
浴室換気乾燥暖房機１Ａを取り付けるために天井板１０１に形成される開口部１０２は、この開口部１０２の内側に本体部２Ａの絶縁部２１Ａが入り、かつ、フランジ部２０Ａの取付穴部２０ｈに通したネジ１０３で、フランジ部２０Ａを介して本体部２Ａを天井板１０１に固定できるように、大きさが設定される。
【００３６】
浴室換気乾燥暖房機１Ａを天井板１０１に取り付けた状態では、図２及び図３に示すように、天井板１０１の開口部１０２の端部から、第１の絶縁部２１Ａ1及び第２の絶縁部２１Ａ2の外周面までの距離Ｈaが、本例では、約３．５ｍｍとなるように、開口部１０２の大きさが設定されている。
【００３７】
浴室換気乾燥暖房機１Ａは、本体部２Ａの上面である金属ケース４Ａの上面に端子台７を備える。端子台７は、外部からの電源及び図示しないリモートコントロール装置等の操作部からの配線が接続される。また、端子台７は、金属ケース４Ａに設けられた図示しない穴部を通して、基板６と配線で接続される。本例では、端子台７を覆うカバー７０が本体部２Ａに取り付けられる。カバー７０は、金属ケース４Ａと同様に、金属板で構成される。
【００３８】
＜第１の実施の形態の浴室換気乾燥暖房機の取付形態例＞
次に、各図を参照して、浴室換気乾燥暖房機１Ａを天井板１０１に取り付ける形態について説明する。ここで、本例では、浴室換気乾燥暖房機１Ａは設置場所である浴室の天井板１０１に取り付けられる例で説明するが、浴室等の室の壁面に開口部が形成されて、この開口部に本体部が室内側から挿入されて取り付けられる形態であっても良い。
【００３９】
浴室換気乾燥暖房機１Ａは、天井板１０１に開けられた開口部１０２に本体部２Ａが挿入されると、本体部２Ａの下部の周縁から外側に突出するフランジ部２０Ａの上面に設けられた絶縁部２１Ａが開口部１０２の内側に入る形態で、フランジ部２０Ａが天井板１０１に接する。
【００４０】
天井板１０１の上面には、フランジ部２０Ａの取付穴部２０ｈに通されるネジ１０３が締結される補強材１０５が載置される。補強材１０５は、Ｌ状の断面形状を有する部材で、金属材料で構成される。ネジ１０３は、セルフタッピングネジ、ドリルネジ等と称されるものが使用される。
【００４１】
そして、フランジ部２０Ａの下面から取付穴部２０ｈに挿入されるネジ１０３が、天井板１０１に予め下穴を開けることなく、また、補強材１０５に予めネジ穴を形成することなく、天井板１０１を貫通して補強材１０５の締結部１０５ａに締結される。
【００４２】
フランジ部２０Ａの取付穴部２０ｈに挿入されるネジ１０３が補強材１０５に締結されることで、フランジ部２０Ａと補強材１０５で天井板１０１を挟持する形態で、本体部２Ａが天井板１０１に固定される。天井板１０１に固定された本体部２Ａには、フロントパネル３が取り付けられ、本体部２Ａの下面が覆われる。なお、天井板１０１には、フランジ部２０Ａの取付穴部２０ｈに合わせて貫通穴が開けられ、また、補強材１０５には、取付穴部２０ｈに合わせて、ネジが締結されるネジ穴が形成され、各穴部の位置を合わせてネジを締結するようにしても良い。
【００４３】
ここで、絶縁部２１Ａを構成する第１の絶縁部２１Ａ1の高さＨ1は、図２に示すように、好ましくは、天井板１０１の板厚ｔと、補強材１０５の締結部１０５ａの板厚ｈの和よりも高く設定されている。本例では、補強材１０５の締結部１０５ａの板厚ｈは約３ｍｍに設定されており、Ｈ1＞ｔ＋ｈとなっている。
【００４４】
＜第１の実施の形態の浴室換気乾燥暖房機の作用効果例＞
ファンモータ５０やヒータ等の電気機器を備えた浴室換気乾燥暖房機１Ａは、浴室への設置時に漏電遮断機と接続されており、万一、浴室換気乾燥暖房機１Ａで漏電が発生した場合には、漏電遮断機で保護される。
【００４５】
また、浴室換気乾燥暖房機１Ａは、浴室への設置時にアース接地されており、漏電遮断機で検出できないような微小な漏洩電流は、アースに流して漏電保護が行われる。
【００４６】
更に、漏電遮断機の不具合、アース接地の不具合が発生しても、浴室換気乾燥暖房機１Ａで本体部２Ａを覆う金属ケース４Ａと、設置場所である天井板１０１の開口部１０２との間には、絶縁部２１Ａが介在している。
【００４７】
絶縁部２１Ａは、樹脂材料で構成されている。また、高さの異なる第１の絶縁部２１Ａ1と第２の絶縁部２１Ａ2で構成される絶縁部２１Ａは、第１の絶縁部２１Ａ1と第２の絶縁部２１Ａ2の何れの高さも、天井板１０１の金属板１０１ｂの板厚より高く構成されている。
【００４８】
これにより、浴室換気乾燥暖房機１Ａの金属ケース４Ａと、天井板１０１の開口部１０２に露出する開口部１０２の周縁の天井板１０１の端部、特に、金属板１０１ｂの端面が接触することが防止され、浴室換気乾燥暖房機１Ａの金属ケース４Ａから、天井板１０１の金属板１０１ｂへの漏電を防止することができる。好ましくは、絶縁部２１Ａを構成する第１の絶縁部２１Ａ1の高さＨ1が、天井板１０１の板厚ｔと、補強材１０５の締結部１０５ａの板厚ｈの和よりも高く設定されるので、補強材１０５及びネジ１０３を通しての漏電も防止することができる。
【００４９】
また、天井板１０１の開口部１０２の範囲内で、本体部２Ａの取付位置にずれが生じ、開口部１０２の端面と本体部２Ａの側面が接するような位置関係となっても、本体部２Ａにおいて、開口部１０２の端面と接するのは絶縁部２１Ａの外周となる。
【００５０】
これにより、天井板１０１の開口部１０２内における本体部２Ａの取付位置が規制されて、金属ケース４Ａと開口部１０２の端面との間に、絶縁が確保されるだけの必要十分な隙間も形成される。よって、浴室換気乾燥暖房機１Ａの金属ケース４Ａから、天井板１０１の金属板１０１ｂへの漏電を防止することができる。
【００５１】
更に、絶縁部２１Ａはフランジ部２０Ａと一体に形成されているので、金属ケース４Ａの絶縁のために、絶縁性を有したテープ等を金属ケース４Ａに巻く作業等を省くことができ、組み立て作業の簡略化及びコストを低減することができる。また、フランジ部２０Ａと一体に形成される絶縁部２１Ａは、絶縁テープに比較して強度があり、絶縁テープを用いないことで、絶縁テープの損傷等により絶縁性能が確保できないという課題が生じることはない。
【００５２】
なお、絶縁部２１Ａとして、高さの高い第１の絶縁部２１Ａ1を備えることにより、フランジ部２０Ａと天井板１０１との間に絶縁部２１Ａが挟まれるような状態で、本体部２Ａが取り付けられようとすると、フランジ部２０Ａと天井板１０１との間に、第１の絶縁部２１Ａ1による第１の高さで隙間が開く。
【００５３】
これにより、本体部２Ａを天井板１０１の開口部１０２に挿入して設置する作業で、本体部２Ａが天井板１０１に正しく取り付けられていないことが認識でき、浴室換気乾燥暖房機１Ａの設置作業のミスを低減することができる。
【００５４】
また、絶縁部２１Ａとして、高さの低い第２の絶縁部２１Ａ2を備えることにより、絶縁部２１Ａの全体を第１の高さで形成する場合と比較して、材料を減らすことができ、コストダウンを図ることができる。
【００５５】
更に、フランジ部２０Ａの全周にわたり絶縁部２１Ａを備えることで、本体シャーシ２２Ａに金属ケース４Ａを組み付ける作業で、正しい位置で金属ケース４Ａを取り付けないと、金属ケース４Ａとフランジ部２０Ａとの間に絶縁部２１Ａが介在し、金属ケース４Ａを取り付けることができない。これにより、工場での浴室換気乾燥暖房機１Ａの組立作業のミスを低減することができる。
【００５６】
＜第２の実施の形態の浴室換気乾燥暖房機の構成例＞
図７及び図８は、第２の実施の形態の浴室換気乾燥暖房機の一例を示し、図７は、第２の実施の形態の浴室換気乾燥暖房機の全体構成を示す上面側から見た斜視図、図８は、第２の実施の形態の浴室換気乾燥暖房機を天井板に取り付けた形態を示す上面側から見た斜視図である。
【００５７】
第２の実施の形態の浴室換気乾燥暖房機１Ｂは、フランジ部２０Ｂの上面の全周に、同じ高さで絶縁部２１Ｂを形成したものである。ここで、第２の実施の形態の浴室換気乾燥暖房機１Ｂでは、絶縁部２１Ｂの構成以外は、上述した第１の実施の形態の浴室換気乾燥暖房機１Ａと同様であるので、同じ番号を付して説明を省略する。
【００５８】
浴室換気乾燥暖房機１Ｂでは、本体部２Ｂは金属ケース４Ｂで覆われ、本体部２Ｂの下部の周縁から、フランジ部２０Ｂが外側に突出する。本体部２Ｂは、図１等で説明した樹脂材料で構成される本体シャーシと一体でフランジ部２０Ｂが形成される。
【００５９】
絶縁部２１Ｂは、フランジ部２０Ｂの上面から上方に突出する凸部が、フランジ部２０Ｂと一体に設けられ、金属ケース４Ｂの側面下部の周囲に沿って全周にわたり同じ高さで形成される。絶縁部２１Ｂの高さは、本例では、天井板１０１の板厚より高く構成される。好ましくは、絶縁部２１Ｂの高さは、天井板１０１の板厚と、補強材１０５の板厚の和よりも高く設定される。
【００６０】
＜第２の実施の形態の浴室換気乾燥暖房機の作用効果例＞
第２の実施の形態の浴室換気乾燥暖房機１Ｂでも、本体部２Ｂを覆う金属ケース４Ｂと、設置場所である天井板１０１の開口部１０２との間には、樹脂材料で構成された絶縁部２１Ｂが介在している。
【００６１】
これにより、浴室換気乾燥暖房機１Ｂの金属ケース４Ｂと、天井板１０１の開口部１０２に露出する図１〜図３で説明した金属板１０１ｂの端面が接触することが防止され、浴室換気乾燥暖房機１Ｂの金属ケース４Ｂから、天井板１０１の金属板１０１ｂへの漏電を防止することができる。
【００６２】
また、絶縁部２１Ｂの高さが、全周にわたって天井板１０１の板厚より高く構成されるので、天井板１０１の表面に貼り付けられる金属板１０１ｂの板厚の違い等、天井板１０１の構造によらず、開口部１０２の端面と金属ケース４Ｂとの間に、絶縁部２１Ｂを介在させることができる。これにより、より確実に絶縁性能を確保することができる。好ましくは、絶縁部２１Ｂの高さが、天井板１０１の板厚と、補強材１０５の板厚の和よりも高く設定されるので、補強材１０５及びネジ１０３を通しての漏電も防止することができる。
【００６３】
＜第３の実施の形態の浴室換気乾燥暖房機の構成例＞
図９及び図１０は、第３の実施の形態の浴室換気乾燥暖房機の一例を示し、図９は、第３の実施の形態の浴室換気乾燥暖房機の全体構成を示す上面側から見た斜視図、図１０は、第３の実施の形態の浴室換気乾燥暖房機を天井板に取り付けた形態を示す上面側から見た斜視図である。
【００６４】
第３の実施の形態の浴室換気乾燥暖房機１Ｃは、フランジ部２０Ｃの上面の複数箇所に絶縁部２１Ｃを形成したものである。ここで、第３の実施の形態の浴室換気乾燥暖房機では、絶縁部２１Ｃの構成以外は、上述した第１の実施の形態の浴室換気乾燥暖房機１Ａと同様であるので、同じ番号を付して説明を省略する。
【００６５】
浴室換気乾燥暖房機１Ｃでは、本体部２Ｃは金属ケース４Ｃで覆われ、本体部２Ｃの下部の周縁から、フランジ部２０Ｃが外側に突出する。本体部２Ｃは、図１等で説明した樹脂材料で構成される本体シャーシと一体でフランジ部２０Ｃが形成される。
【００６６】
絶縁部２１Ｃは、フランジ部２０Ｃの上面から上方に突出する円筒状の凸部が、フランジ部２０Ｃと一体に設けられる。絶縁部２１Ｃは、金属ケース４Ｃの４つの角部４１Ｃ、及び、各角部４１Ｃの間の中間付近に対応して設けられる。絶縁部２１Ｃの高さは、本例では、天井板１０１の板厚より高く構成される。好ましくは、絶縁部２１Ｃの高さは、天井板１０１の板厚と、補強材１０５の板厚の和よりも高く設定される。
【００６７】
＜第３の実施の形態の浴室換気乾燥暖房機の作用効果例＞
第３の実施の形態の浴室換気乾燥暖房機１Ｃでは、本体部２Ｃを覆う金属ケース４Ｃと、設置場所である天井板１０１の開口部１０２との間の複数箇所に、樹脂材料で構成された絶縁部２１Ｃが介在している。
【００６８】
これにより、天井板１０１の開口部１０２内における本体部２Ｃの取付位置が規制され、金属ケース４Ｃと開口部１０２の端面との間に、絶縁が確保されるだけの必要十分な隙間も形成される。
【００６９】
よって、浴室換気乾燥暖房機１Ｃの金属ケース４Ｃと、天井板１０１の開口部１０２に露出する図１〜図３で説明した金属板１０１ｂの端面が接触することが防止され、浴室換気乾燥暖房機１Ｃの金属ケース４Ｃから、天井板１０１の金属板１０１ｂへの漏電を防止することができる。
【００７０】
＜第４の実施の形態の浴室換気乾燥暖房機の構成例＞
図１１は、第４の実施の形態の浴室換気乾燥暖房機の一例を示し、図１１は、第４の実施の形態の浴室換気乾燥暖房機を天井板に取り付けた形態の要部構成を示す要部側断面図である。
【００７１】
第４の実施の形態の浴室換気乾燥暖房機１Ｄは、フランジ部２０Ｄの上面の全周に、金属ケース４Ｄの下端部４０Ｄが載せられる高さで絶縁部２１Ｄを形成したものである。ここで、第４の実施の形態の浴室換気乾燥暖房機１Ｄでは、絶縁部２１Ｄの構成以外は、上述した第１の実施の形態の浴室換気乾燥暖房機１Ａと同様であるので、同じ番号を付して説明を省略する。
【００７２】
浴室換気乾燥暖房機１Ｄでは、本体部２Ｄは金属ケース４Ｄで覆われ、本体部２Ｄの下部の周縁から、フランジ部２０Ｄが外側に突出する。本体部２Ｄは、樹脂材料で構成される本体シャーシ２２Ｄと一体でフランジ部２０Ｄが形成される。
【００７３】
絶縁部２１Ｄは、本体シャーシ２２Ｄの下部の周縁から側方に突出すると共に、フランジ部２０Ｄの上面から上方に突出する凸部が、本体シャーシ２２Ｄ及びフランジ部２０Ｄと一体に設けられる。絶縁部２１Ｄの高さは、本例では、天井板１０１の板厚より高く構成される。本例では、天井板１０１の板厚ｔは、約１０．５ｍｍに設定される。これに対して、絶縁部２１Ｄの高さＨDは、約１２ｍｍに設定される。
【００７４】
本体部２Ｄを覆う金属ケース４Ｄは、下端部４０Ｄが絶縁部２１Ｄの上面に載せられる形態で、本体シャーシ２２Ｄに取り付けられる。絶縁部２１Ｄの高さは、天井板１０１の板厚より高く構成されるので、金属ケース４Ｄの下端部４０Ｄは、天井板１０１の板厚より高い位置で支持される。
【００７５】
＜第４の実施の形態の浴室換気乾燥暖房機の作用効果例＞
第４の実施の形態の浴室換気乾燥暖房機１Ｄでは、本体部２Ｄを覆う金属ケース４Ｄの下端部４０Ｄは、天井板１０１の板厚より高い位置で支持され、本体部２Ｄと、設置場所である天井板１０１の開口部１０２との間には、樹脂材料で構成された絶縁部２１Ｄが介在している。
【００７６】
これにより、浴室換気乾燥暖房機１Ｄの金属ケース４Ｄと、天井板１０１の開口部１０２に露出する金属板１０１ｂの端面が接触することが防止され、浴室換気乾燥暖房機１Ｄの金属ケース４Ｄから、天井板１０１の金属板１０１ｂへの漏電を防止することができる。
【産業上の利用可能性】
【００７７】
本発明は、熱源を有し、設置場所に露出する箇所が金属ケースで覆われた空調装置等の設備機器に適用される。
【符号の説明】
【００７８】
１Ａ，１Ｂ，１Ｃ，１Ｄ・・・浴室換気乾燥暖房機、２Ａ，２Ｂ，２Ｃ，２Ｄ・・・本体部、２０Ａ，２０Ｂ，２０Ｃ，２０Ｄ・・・フランジ部、２０ｈ・・・取付穴部、２１Ａ，２１Ｂ，２１Ｃ，２１Ｄ・・・絶縁部、２１Ａ1・・・第１の絶縁部、２１Ａ2・・・第２の絶縁部、２２Ａ，２２Ｄ・・・本体シャーシ、３・・・フロントパネル、４Ａ，４Ｂ，４Ｃ，４Ｄ・・・金属ケース、４０Ａ，４０Ｄ・・・下端部、４１Ａ，４１Ｃ・・・角部、５・・・ファン部、６・・・基板、１０１・・・天井板、１０２・・・開口部、１０３・・・ネジ、１０５・・・補強材
【図１】
0005791190.tif 000002
【図２】
0005791190.tif 000003
【図３】
0005791190.tif 000004
【図４】
0005791190.tif 000005
【図５】
0005791190.tif 000006
【図６】
0005791190.tif 000007
【図７】
0005791190.tif 000008
【図８】
0005791190.tif 000009
【図９】
0005791190.tif 000010
【図１０】
0005791190.tif 000011
【図１１】
0005791190.tif 000012